(57)【要約】【課題】動画の内容とよりマッチした配信広告情報を決定することができる配信広告決定装置、配信広告決定方法、および配信広告決定プログラムを提供すること。【解決手段】実施形態に係る配信広告決定装置は、第１の取得部と、第２の取得部と、広告情報決定部とを備える。第１の取得部は、コンテンツ情報に含まれる動画のシーンに対応付けられたキャプション情報を取得する。第２の取得部は、コンテンツ情報に含まれる複数のシーンの状況をそれぞれ示すシーン情報を取得する。広告情報決定部は、第１の取得部で取得されたキャプション情報と、第２の取得部で取得されたシーン情報とに基づいて、コンテンツ情報に対応する配信広告情報を決定する。【選択図】図１
2015185951.tif 000002
【特許請求の範囲】
【請求項１】
コンテンツ情報に含まれる動画のシーンに対応付けられたキャプション情報を取得する第１の取得部と、
前記コンテンツ情報に含まれる複数のシーンの状況をそれぞれ示すシーン情報を取得する第２の取得部と、
前記第１の取得部で取得された前記キャプション情報と、前記第２の取得部で取得された前記シーン情報とに基づいて、前記コンテンツ情報に対応する配信広告情報を決定する広告情報決定部と
を備えることを特徴とする配信広告決定装置。
【請求項２】
前記広告情報決定部は、
前記第１の取得部で取得された前記キャプション情報と、前記第２の取得部で取得された前記シーン情報とに基づいて、前記コンテンツ情報に含まれる前記複数のシーンにそれぞれ対応する複数の配信広告情報を決定する
ことを特徴とする請求項１に記載の配信広告決定装置。
【請求項３】
前記広告情報決定部は、
決定した前記配信広告情報の表示タイミングを前記コンテンツ情報に含まれた連続する第１のシーンと第２のシーンとにそれぞれ対応する第１のシーン情報と第２のシーン情報とに基づいて決定する
ことを特徴とする請求項１または請求項２に記載の配信広告決定装置。
【請求項４】
前記シーン情報は、
前記配信広告情報の配信の可否を示す配信可否情報を含む
ことを特徴とする請求項１〜３のいずれか一つに記載の配信広告決定装置。
【請求項５】
前記シーン情報は、
前記コンテンツ情報に含まれる複数のシーンのそれぞれの状況が、ポジティブな状況かネガティブな状況かを示す情報を含む
ことを特徴とする請求項１〜４のいずれか一つに記載の配信広告決定装置。
【請求項６】
１以上の端末装置から前記動画のシーンに関する提供情報を取得して、前記シーン情報を生成するシーン情報生成部
を備えることを特徴とする請求項１〜５のいずれか一つに記載の配信広告決定装置。
【請求項７】
前記広告情報決定部は、
前記キャプション情報およびシーン情報のうち一方の情報に基づいて、前記配信広告情報を絞り込む第１の絞り込み処理と、
前記第１の絞り込み処理によって絞り込まれた配信広告情報を、前記キャプション情報およびシーン情報のうち他方の情報に基づいて絞り込む第２の絞り込み処理とを行う
ことを特徴とする請求項１〜６のいずれか一つに記載の配信広告決定装置。
【請求項８】
コンピュータが実行する配信広告決定方法であって、
コンテンツ情報に含まれる動画のシーンに対応付けられたキャプション情報を取得する第１の取得工程と、
前記コンテンツ情報に含まれる複数のシーンの状況をそれぞれ示すシーン情報を取得する第２の取得工程と、
前記第１の取得工程で取得された前記キャプション情報と、前記第２の取得工程で取得された前記シーン情報とに基づいて、前記コンテンツ情報に対応する配信広告情報を決定する広告情報決定工程と
を含むことを特徴とする配信広告決定方法。
【請求項９】
コンピュータに、
コンテンツ情報に含まれる動画のシーンに対応付けられたキャプション情報を取得する第１の取得手順と、
前記コンテンツ情報に含まれる複数のシーンの状況をそれぞれ示すシーン情報を取得する第２の取得手順と、
前記第１の取得手順で取得された前記キャプション情報と、前記第２の取得手順で取得された前記シーン情報とに基づいて、前記コンテンツ情報に対応する配信広告情報を決定する広告情報決定手順と
を実行させることを特徴とする配信広告決定プログラム。
【発明の詳細な説明】
【技術分野】
【０００１】
本発明は、配信広告決定装置、配信広告決定方法、および配信広告決定プログラムに関する。
【背景技術】
【０００２】
近年、インターネットの飛躍的な普及および配信技術の向上により、インターネットを介して多様なコンテンツの閲覧が可能になっている。例えば、映画やドラマなど、動画コンテンツを、インターネットを介して閲覧する者も多い。
【０００３】
また、インターネットの普及に伴って、インターネットを介した広告配信も盛んに行われるようになってきており、例えば、上記動画コンテンツの閲覧者に対し、広告を配信することが行われている。このとき、動画のシーンなどと広告とが関連していると、広告の訴求力の向上が期待できる。
【０００４】
他方、動画から、例えば所謂キャプションと呼ばれる情報を入手し、かかるキャプションに符合する広告が含まれた検索結果を提供する技術が知られている（例えば、特許文献１を参照）。
【０００５】
そこで、キャプションを利用すれば、動画のシーンと対応した広告の配信が可能になると考えられる。
【先行技術文献】
【特許文献】
【０００６】
【特許文献１】特許第５２１１０６６号公報
【発明の概要】
【発明が解決しようとする課題】
【０００７】
しかしながら、キャプションを利用しただけでは、動画の内容とどの程度対応した広告を配信することができるのかは不明であり、動画内容との対応が中途半端な広告を配信してしまうと、逆効果になってしまうおそれがある。
【０００８】
本発明は、上記に鑑みてなされたものであって、動画の内容とよりマッチした配信広告情報を決定することができる配信広告決定装置、配信広告決定方法、および配信広告決定プログラムを提供することを目的とする。
【課題を解決するための手段】
【０００９】
本願に係る配信広告決定装置は、第１の取得部と、第２の取得部と、広告情報決定部とを備える。第１の取得部は、コンテンツ情報に含まれる動画のシーンに対応付けられたキャプション情報を取得する。第２の取得部は、前記コンテンツ情報に含まれる複数のシーンの状況をそれぞれ示すシーン情報を取得する。広告情報決定部は、前記第１の取得部で取得された前記キャプション情報と、前記第２の取得部で取得された前記シーン情報とに基づいて、前記コンテンツ情報に対応する配信広告情報を決定する。
【発明の効果】
【００１０】
実施形態の一態様によれば、動画の内容とよりマッチした配信広告情報を決定することができる配信広告決定装置、配信広告決定方法、および配信広告決定プログラムを提供することができる。
【図面の簡単な説明】
【００１１】
【図１】図１は、実施形態に係る配信広告決定処理の説明図である。
【図２】図２は、実施形態に係る配信広告決定装置の構成例を示す図である。
【図３】図３は、実施形態に係るキャプションＤＢに記憶される情報の一例を示す図である。
【図４】図４は、実施形態に係るシーンＤＢに記憶される情報の一例を示す図である。
【図５】図５は、実施形態に係る配信広告決定テーブルの一例を示す図である。
【図６】図６は、実施形態に係る決定広告関連情報の一例を示す図である。
【図７】図７は、実施形態に係る決定広告関連情報の生成手順の一例を示す説明図である。
【図８】図８は、実施形態に係る決定広告関連情報の生成手順の一例を示す説明図である。
【図９】図９は、実施形態に係るシーン関連ワードテーブルの一例を示す図である。
【図１０】図１０は、実施形態に係るシーン情報の生成手順の一例を示す説明図である。
【図１１】図１１は、実施形態に係る広告情報決定部が実行する処理を示すフローチャートである。
【図１２】図１２は、実施形態に係るシーン情報生成部が実行する処理を示すフローチャートである。
【図１３】図１３は、変形例１に係るシーンＤＢに記憶される情報の一例を示す図である。
【図１４】図１４は、変形例１に係るシーン情報を使用した配信広告情報の決定手順の一例を示す説明図である。
【図１５】図１５は、変形例２に係るシーンＤＢに記憶される情報の一例を示す図である。
【図１６】図１６は、実施形態に係る情報配信装置の構成例を示す図である。
【図１７】図１７は、配信広告決定装置の機能を実現するコンピュータの一例を示すハードウェア構成図である。
【発明を実施するための形態】
【００１２】
以下に、本願に係る配信広告決定装置、配信広告決定方法、および配信広告決定プログラムの実施形態について図面を参照しつつ詳細に説明する。なお、この実施形態により本願に係る配信広告決定装置、配信広告決定方法および配信広告決定プログラムが限定されるものではない。なお、以下においては、データベースをＤＢと記載する。
【００１３】
以下に説明する配信広告決定装置は、例えば、一般のユーザが所有する端末装置へストリーム配信される動画のコンテンツ情報に対応して端末装置へ配信される動画の広告情報を決定する装置である。
【００１４】
以下、一般のユーザが所有する端末装置を「ユーザ端末」と記載し、ユーザ端末へストリーム配信される動画のコンテンツ情報を「コンテンツ情報」と記載し、コンテンツ情報に対応してユーザ端末へ配信される動画の広告情報を「配信広告情報」と記載する。
【００１５】
配信広告決定装置は、例えば、ユーザ端末によるコンテンツ情報の再生中に、コンテンツ情報の再生画面枠外に表示される配信広告情報や、再生画面枠内の一部の領域に表示される配信広告情報、再生画面枠全体を使用して表示される配信広告情報などを決定する。
【００１６】
つまり、配信広告決定装置によって決定される配信広告情報は、例えば、テレビコマーシャルのように、コンテンツ情報の再生を一旦中止してコンテンツ情報の再生用領域全体を使用して表示される映像、コンテンツ情報の再生を停止させずに、コンテンツ情報の再生用領域の一部に重畳させて表示される映像、コンテンツ情報の再生用領域外に表示される映像などである。
【００１７】
以下では、一例として、配信広告決定装置がユーザ端末によるコンテンツ情報の再生中に、コンテンツ情報の再生画面枠全体を使用して表示される配信広告情報を決定する場合について説明する。
【００１８】
［１．配信広告決定処理］
まず、実施形態に係る配信広告決定装置が行う配信広告決定処理について説明する。図１は、実施形態に係る配信広告決定処理の説明図である。図１に示すように、ユーザ端末へ配信されるコンテンツ情報Ｖは、ビデオクリップＶ１，Ｖ２〜Ｖｎという連続する複数の動画を含む。
【００１９】
各ビデオクリップＶ１，Ｖ２〜Ｖｎには、それぞれキャプション情報と、シーン情報とが対応付けられている。ここでのキャプション情報は、例えば、各ビデオクリップＶ１，Ｖ２〜Ｖｎ中のセリフ、字幕、シーンの説明文、タイトル、および見出しなどの情報をテキスト化したテキスト情報である。また、シーン情報は、各ビデオクリップＶ１，Ｖ２〜Ｖｎの動画中におけるシーンがどのような状況であるかを示す情報である。
【００２０】
ここで、コンテンツ情報Ｖのキャプション情報からコンテンツ情報Ｖに対応して配信する配信広告情報を推定すること（ステップＳ１）は、不可能ではない。例えば、第１のビデオクリップＶ１に、「運転うまいね・・」というキャプション情報が対応付けられていた場合、車のコマーシャル（以下、「ＣＭ」と記載する）を配信広告情報として推定することができる。
【００２１】
しかしながら、第１のビデオクリップＶ１に「運転うまいね・・」というキャプション情報が対応付けられていても、この会話がドライブスルーを利用した買物中のシーンで行われていた場合、車のＣＭを配信するよりも、ドライブスルーのＣＭを配信した方がよいことがある。
【００２２】
したがって、キャプション情報だけに基づいて配信広告情報を推定した場合、動画の内容とよりマッチしたＣＭを決定すること、つまり、コンテンツ情報Ｖを閲覧しているユーザの購買意欲をより掻き立てるＣＭを配信広告情報として決定することは容易ではない。
【００２３】
そこで、実施形態に係る配信広告決定装置は、キャプション情報からコンテンツ情報Ｖに対応して配信する配信広告情報を推定する（ステップＳ１）とともに、コンテンツ情報Ｖのシーン情報からも配信広告情報を推定する（ステップＳ２）。
【００２４】
そして、配信広告決定装置は、ステップＳ１およびステップＳ２の両推定結果から配信広告情報を決定する。すなわち、配信広告決定装置は、キャプション情報とシーン情報とに基づいて、コンテンツ情報Ｖに対応して配信される配信広告情報を決定する。これにより、配信広告決定装置は、動画の内容とよりマッチした配信広告情報を決定することができる。
【００２５】
［２．配信広告決定装置の構成］
次に、図２を参照して、実施形態に係る配信広告決定装置１の構成について説明する。以下の説明では、配信広告決定装置１がコンテンツ情報に含まれる全てのシーンについて、前述した配信広告決定処理を行う場合を例に挙げて説明するが、配信広告決定装置１は、特定のシーンについて選択的に配信広告決定処理を行う構成とすることも可能である。
【００２６】
かかる場合、広告情報配信のオプションとして、配信広告決定処理を行うシーンを広告主に選択してもらう。これにより、広告主は、例えば、広告を入稿する際に、広告情報配信のオプションとして、配信広告決定処理を付けるか否かを選択することができる。つまり、広告主は、配信広告決定処理を行って広告情報の配信を行いたいシーンや、配信を行いたくないシーンを自由に選択することができる。
【００２７】
図２は、実施形態に係る配信広告決定装置１の構成例を示す図である。図２に示すように、配信広告決定装置１は、通信部２と、制御部３と、記憶部４とを備える。
【００２８】
通信部２は、通信ネットワーク６を介して、ユーザ端末５１，５２やサーバ７などとの間で情報の送受信を行う通信インターフェイスである。なお、図２では、便宜上、ユーザ端末５１，５２の台数を２台としているが、実際に通信ネットワーク６へ接続される台数は、３台以上（多数）である。
【００２９】
なお、以下の説明では、ユーザ端末５１、ユーザ端末５２、および、その他のユーザ端末をそれぞれ区別しない場合、または、総称する場合に、これらのユーザ端末をユーザ端末５と記載することがある。
【００３０】
記憶部４は、例えば、ＲＡＭ（Random  Access  Memory）やフラッシュメモリ、ハードディスク等の情報記憶デバイスである。かかる記憶部４は、キャプションＤＢ４１、広告関連情報４２、シーンＤＢ４３、シーン関連ワードテーブル４４、および配信広告決定プログラム４５を記憶する。
【００３１】
配信広告決定プログラム４５は、制御部３が広告関連情報４２を生成する場合に実行するアプリケーションプログラムである。なお、キャプションＤＢ４１、広告関連情報４２、シーンＤＢ４３、およびシーン関連ワードテーブル４４については、図３〜図６および図９を参照して後述する。
【００３２】
制御部３は、配信広告決定装置１全体を統括制御する処理部であり、例えば、ＡＳＩＣ（Application  Specific  Integrated  Circuit）やＦＰＧＡ（Field  Programmable  Gate  Array）等の集積回路により実現される。
【００３３】
かかる制御部３は、内部のＣＰＵ（Central  Processing  Unit）またはＭＰＵ（Micro  Processing  Unit）が記憶部４から配信広告決定プログラム４５を読み出してＲＡＭを作業領域として実行することによって機能する複数の情報処理部を備える。
【００３４】
具体的には、制御部３は、第１の取得部３１、広告情報決定部３２、第２の取得部３３、シーン情報生成部３４、および情報出力部３５を備える。なお、制御部３の内部構成は、かかる構成に限られず、後述する情報処理を行う構成であれば他の構成であってもよい。
【００３５】
第１の取得部３１は、記憶部４に記憶されたキャプションＤＢ４１からキャプション情報を取得して、広告情報決定部３２へ出力する処理部である。かかる第１の取得部３１は、通信ネットワーク６に接続された所定のサーバ７からキャプション情報を取得してキャプションＤＢ４１へ記憶させることもできる。かかる場合のサーバ７は、例えば、コンテンツ情報Ｖの作成者などのコンテンツプロバイダーが運用管理するサーバ装置である。
【００３６】
ここで、図３を参照して、キャプション情報ＤＢ４１に記憶される情報の一例について説明する。図３は、実施形態に係るキャプションＤＢ４１に記憶される情報の一例を示す図である。
【００３７】
図３に示すように、キャプションＤＢ４１には、コンテンツ情報Ｖを識別するためのコンテンツ識別情報と、コンテンツ情報Ｖに含まれる各ビデオクリップＶ１〜Ｖｎの再生時間帯と、各ビデオクリップＶ１〜Ｖｎのキャプション情報とが対応付けられて記憶されている。
【００３８】
図３に示す例では、コンテンツ識別情報が「０１」のコンテンツ情報Ｖにおける再生時間帯が００：００〜１５：００のビデオクリップに対して、「この車かっこいいね・・」というキャプション情報が対応付けられている。また、コンテンツ識別情報が「０１」のコンテンツ情報Ｖにおける再生時間帯が１５：１５〜３０：００のビデオクリップに対して、「車ぶつけちゃった・・」というキャプション情報が対応付けられている。
【００３９】
また、コンテンツ識別情報が「０２」のコンテンツ情報Ｖにおける再生時間帯が００：００〜１５：００のビデオクリップに対して、「いいレストランだね・・」というキャプション情報が対応付けられている。また、コンテンツ識別情報が「０２」のコンテンツ情報Ｖにおける再生時間帯が１５：１５〜３０：００のビデオクリップに対して、「どのパスタ注文する？・・」というキャプション情報が対応付けられている。
【００４０】
そして、第１の取得部３１は、配信広告情報を決定するコンテンツ情報Ｖについて、キャプション情報と、キャプション情報に対応付けられたコンテンツ識別情報および再生時間とをキャプションＤＢ４１から取得して、広告情報決定部３２へ出力する。
【００４１】
図２へ戻り、第２の取得部３３は、シーンＤＢ４３からシーン情報を取得して、広告情報決定部３２へ出力する処理部である。第２の取得部３３は、通信ネットワーク６に接続された所定のサーバ７からシーン情報を取得してシーンＤＢ３３へ記憶させることもできる。
【００４２】
かかる場合のサーバ７は、例えば、コンテンツ情報Ｖの作成者などのコンテンツプロバイダーが運用管理するサーバ装置である。ここで、図４を参照して、シーンＤＢ４３に記憶される情報の一例について説明する。図４は、実施形態に係るシーンＤＢ４３に記憶される情報の一例を示す図である。
【００４３】
図４に示すように、シーンＤＢ４３には、コンテンツ情報Ｖを識別するためのコンテンツ識別情報と、コンテンツ情報Ｖに含まれる各ビデオクリップＶ１〜Ｖｎの再生時間帯と、各ビデオクリップＶ１〜Ｖｎのシーン情報とが対応付けられて記憶されている。
【００４４】
図４に示す例では、コンテンツ識別情報が「０１」のコンテンツ情報Ｖにおける再生時間帯が００：００〜１５：００のビデオクリップに対して、「ドライブシーン」というシーン情報が対応付けられている。また、コンテンツ識別情報が「０１」のコンテンツ情報Ｖにおける再生時間帯が１５：１５〜３０：００のビデオクリップに対して、「交通事故シーン」というシーン情報が対応付けられている。
【００４５】
また、コンテンツ識別情報が「０２」のコンテンツ情報Ｖにおける再生時間帯が００：００〜１５：００のビデオクリップおよび再生時間帯が１５：１５〜３０：００のビデオクリップに対して、「食事シーン」というシーン情報が対応付けられている。
【００４６】
そして、第２の取得部３３は、配信広告情報を決定するコンテンツ情報Ｖについて、シーン情報と、シーン情報に対応付けられたコンテンツ識別情報および再生時間とをシーンＤＢ４３から取得して、広告情報決定部３２へ出力する。かかるシーンＤＢ４３に記憶されるシーン情報は、後述のシーン情報生成部３４によって生成されてもよい。
【００４７】
図２へ戻り、広告情報決定部３２は、第１の取得部３１から入力されるキャプション情報、第２の取得部３３から入力されるシーン情報、および広告関連情報４２に含まれる配信広告決定テーブルに基づいて、配信広告情報を決定する処理部である。そして、広告情報決定部３２は、決定した配信広告情報に関する決定広告関連情報を広告関連情報４２へ書き込む。
【００４８】
ここで、図５および図６を参照して、広告関連情報４２に含まれる配信広告決定テーブルおよび決定広告関連情報について説明する。図５は、実施形態に係る配信広告決定テーブルの一例を示す図であり、図６は、実施形態に係る決定広告関連情報の一例を示す図である。
【００４９】
図５に示すように、配信広告決定テーブルは、広告情報決定部３２が配信広告を決定する場合に参照するＬＵＴ（Look  Up  Table）である。配信広告決定テーブルでは、複数の各配信広告情報の種別に対して抽出ワードが関連付けられている。抽出ワードは、例えば、広告情報を入稿する場合に広告主によって持ち込まれる広告情報のタイトルや説明文から抽出された特徴語である。
【００５０】
かかる抽出ワードは、例えば、ＴＦ（Term  Frequency）やＩＤＦ（Inverse  Document  Frequency）によって抽出される。また、配信広告決定テーブルでは、複数の各配信広告情報の種別に対して、シーン情報が関連付けられている。
【００５１】
図５に示す例では、種別がＣＭ（７）の車のＣＭに対して、「車」という抽出ワードと、「ドライブシーン」というシーン情報とが関連付けられている。また、種別がＣＭ（２）の損害保険のＣＭに対して、「車」という抽出ワードと、「交通事故シーン」というシーン情報とが関連付けられている。また、種別がＶＭ（２）の生命保険のＣＭに対して、「人生」という抽出ワードと、「食事シーン」というシーン情報とが関連付けられている。
【００５２】
また、図６に示すように、広告情報決定部３２によって生成される決定広告関連情報は、コンテンツ情報Ｖを識別するためのコンテンツ識別情報と、配信広告情報の表示タイミングと、配信広告情報の種別とが対応付けられた情報である。
【００５３】
図６に示す例では、コンテンツ識別情報が「０１」のコンテンツ情報Ｖに対して、配信広告情報の表示タイミングとして、１５：００〜１５：１５という時間帯と、ＣＭ（７）という配信広告情報の種別とが対応付けられている。
【００５４】
これは、コンテンツ識別情報が「０１」のコンテンツ情報Ｖの動画が再生される場合に、コンテンツ情報Ｖの動画が冒頭から１５分間再生された後、種別がＣＭ（７）という配信広告情報を１５秒間再生させることを意味する。
【００５５】
また、コンテンツ識別情報が「０１」のコンテンツ情報Ｖに対して、配信広告情報の表示タイミングとして、３０：００〜３０：１５という時間帯と、ＣＭ（２）という配信広告情報の種別とが対応付けられている。
【００５６】
これは、コンテンツ識別情報が「０１」のコンテンツ情報Ｖの動画が再生される場合に、配信広告情報の再生時間も含め、コンテンツ情報Ｖの動画が冒頭から３０分間再生された後、種別がＣＭ（２）という配信広告情報を１５秒間再生させることを意味する。
【００５７】
一方、コンテンツ識別情報が「０２」のコンテンツ情報Ｖに対しては、配信広告情報の表示タイミングとして、１５：００〜１５：１５という時間帯と、ＣＭ（５）という配信広告情報の種別とが対応付けられている。また、３０：００〜３０：１５という時間帯と、ＣＭ（９）という配信広告情報の種別とが対応付けられている。
【００５８】
このように、広告情報決定部３２は、コンテンツ情報Ｖが再生される場合に、ユーザ端末５によって表示させる配信広告情報の種別および配信広告情報の表示タイミングを決定した決定広告関連情報を生成する。
【００５９】
ここで、図７および図８を参照して、広告情報決定部３２がキャプション情報、シーン情報、および配信広告決定テーブルに基づいて、決定広告関連情報を生成する手順の一例について説明する。図７および図８は、実施形態に係る決定広告関連情報の生成手順の一例を示す説明図である。
【００６０】
広告情報決定部３２は、キャプション情報から抽出した抽出ワードと、配信広告決定テーブルにおいて配信広告情報の種別に関連付けられている抽出ワードとに基づいて、配信広告情報を絞り込む第１の絞り込み処理を行う。
【００６１】
さらに、広告情報決定部３２は、配信広告決定テーブルにおいて第１の絞り込み処理によって絞り込まれた配信広告情報の種別に関連付けられているシーン情報に基づいて配信広告情報を絞り込む第２の絞り込み処理を行う。
【００６２】
例えば、図７に示すように、広告情報決定部３２は、コンテンツ情報Ｖに関する決定広告関連情報を生成する場合、コンテンツ情報Ｖの冒頭のシーンに対応するビデオクリップＶ１に対応付けられたキャプション情報を第１の取得部３１から取得する（ステップＳ１１）。
【００６３】
さらに、広告情報決定部３２は、コンテンツ情報Ｖの冒頭のシーンに対応するビデオクリップＶ１に対応付けられたシーン情報を第２の取得部３３から取得する（ステップＳ１２）。
【００６４】
ここで、広告情報決定部３２は、例えば、ＴＦやＩＤＦによって「この車かっこいいね・・」というキャプション情報から予め取得された「車」というワードを第１の取得部３１から取得する。そして、広告情報決定部３２は、記憶部４に記憶された広告関連情報４２に含まれる配信広告決定テーブル（図５参照）を参照する。
【００６５】
図５に示す配信広告決定テーブルでは、「車」という抽出ワードに種別がＣＭ（７）の車のＣＭと、種別がＣＭ（２）の損害保険のＣＭとが関連付けられている。一方、種別がＣＭ（３）の生命保険のＣＭには、「車」という抽出ワードが関連付けられていない。
【００６６】
このため、広告情報決定部３２は、キャプション情報に基づいて、配信広告を種別がＣＭ（７）の車のＣＭと、種別がＣＭ（２）の損害保険のＣＭとに絞り込む第１の絞り込み処理を行う（ステップＳ１３）。
【００６７】
さらに、広告情報決定部３２は、配信広告決定テーブルにおいて、第１の絞り込み処理によって絞り込まれた配信広告情報の種別に関連付けられているシーン情報と、取得したビデオクリップＶ１のシーン情報とに基づいて、第２の絞り込み処理を行う。
【００６８】
例えば、例えば、広告情報決定部３２が、第２の取得部３３から、例えば、「ドライブシーン」というシーン情報を取得したとする。かかる場合、図５に示す配信広告決定テーブルでは、「ドライブシーン」というシーン情報に対して、種別がＣＭ（７）の車のＣＭが関連付けられている。
【００６９】
一方、種別がＣＭ（２）の損害保険のＣＭには、「ドライブシーン」というシーン情報ではなく、「交通事故シーン」というシーン情報が対応付けられている。このため、広告情報決定部３２は、配信情報を種別がＣＭ（７）の車のＣＭに絞り込む第２の絞り込み処理を行う（ステップＳ１４）。
【００７０】
このように、ビデオクリップＶ１のシーンでは、動画の登場人物が車に対して好印象をいだいているが、広告情報決定部３２は、キャプション情報から抽出された「車」という抽出ワードからだけでは、損害保険のＣＭと車のＣＭとのどちらを表示させれば良いかの判定を行うことができない。
【００７１】
そこで、本実施形態の広告情報決定部３２は、キャプション情報だけでなく、シーン情報までを配信広告情報の決定材料として使用する。ここでは、広告情報決定部３２は、「車」というキャプション情報に加えて、「ドライブシーン」というシーン情報を取得している。
【００７２】
したがって、広告情報決定部３２は、配信広告決定テーブルを参照することで、ビデオクリップＶ１に対応する配信広告情報として、高い広告効果が期待できる種別がＣＭ（７）の車のＣＭを決定することができる。
【００７３】
その後、広告情報決定部３２は、ビデオクリップＶ１に連続するビデオクリップＶ２〜Ｖｎについても同様に、各ビデオクリップＶ２〜Ｖｎのキャプション情報とシーン情報とに基づいて、対応する配信広告情報を決定する。
【００７４】
図７に示す例では、広告情報決定部３２は、ビデオクリップＶ２に対応する配信広告情報として、種別がＣＭ（２）のＣＭを決定している（ステップＳ１５）。また、広告情報決定部３２は、ビデオクリップＶｎに対応する配信広告情報として、種別がＣＭ（５）のＣＭを決定している（ステップＳ１６）。
【００７５】
なお、ここでは、広告情報決定部３２がキャプション情報に基づいて第１の絞り込み処理を行った後に、シーン情報に基づいて第２の絞り込み処理を行うこととしたが、絞り込み処理の順序は逆であってもよい。つまり、広告情報決定部３２は、シーン情報に基づいて第１の絞り込み処理を行った後に、キャプション情報に基づいて第２の絞り込み処理を行う構成であってもよい。
【００７６】
また、広告情報決定部３２は、各ビデオクリップＶ１〜Ｖｎに対応する配信広告情報の決定に加え、これら複数の配信広告情報のうち、どの配信広告情報をどのタイミングで表示させるかについても決定する。
【００７７】
具体的には、広告情報決定部３２は、コンテンツ情報Ｖに含まれた連続する第１のシーンと第２のシーンとにそれぞれ対応する第１のシーン情報と第２のシーン情報とに基づいて、配信広告情報の表示タイミングを決定する。
【００７８】
例えば、図８に示すように、コンテンツ情報Ｖ中で連続する３つの各ビデオクリップＶ１０，Ｖ１１，Ｖ１２の間に、配信広告情報を表示させる広告枠Ｂ１０，Ｂ１１が設けられ、ビデオクリップＶ１０のシーンが車の走行シーンＦ１０であり、ビデオクリップＶ１１のシーンが車の衝突シーンＦ１１であったとする。
【００７９】
そして、広告情報決定部３２が車の走行シーンＦ１０に対応する配信広告情報として、種別がＣＭ（７）の車のＣＭを決定し、車の衝突シーンＦ１１に対応する配信広告情報として、種別がＣＭ（２）の損害保険のＣＭを決定したとする。
【００８０】
かかる場合に、例えば、ビデオクリップＶ１０が再生された後の広告枠Ｂ１０で種別がＣＭ（７）の車のＣＭを表示させてユーザの購買意欲を高めても、次に再生されるビデオクリップＶ１１に車の衝突シーンＦ１１があるため、ユーザの購買意欲が下がってしまう。
【００８１】
そこで、広告情報決定部３２は、ビデオクリップＶ１０のシーン情報が「ドライブシーン」であり、ビデオクリップＶ１１のシーン情報が「交通事故シーン」である場合、広告枠Ｂ１０での車のＣＭの表示を「ＮＧ」と判定する（ステップＳ２１）。
【００８２】
また、車の衝突シーンＦ１１を含むビデオクリップＶ１１が再生された後の広告枠Ｂ１１で車のＣＭを表示させても、当然ながら広告効果は上がらない。そこで、広告情報決定部３２は、ビデオクリップＶ１０のシーン情報が「ドライブシーン」であり、ビデオクリップＶ１１のシーン情報が「交通事故シーン」である場合、広告枠Ｂ１１での車のＣＭの表示を「ＮＧ」と判定する（ステップＳ２２）。
【００８３】
これに対して、車の衝突シーンＦ１１を含むビデオクリップＶ１１では、ユーザが事故に対する不安をいだく可能性が高いため、ビデオクリップＶ１１が再生された後の広告枠Ｂ１１では、損害保険のＣＭを表示させることが望ましい。
【００８４】
そこで、広告情報決定部３２は、ビデオクリップＶ１０のシーン情報が「ドライブシーン」であり、ビデオクリップＶ１１のシーン情報が「交通事故シーン」である場合、広告枠Ｂ１１において、種別がＣＭ（２）の損害保険のＣＭの表示を「ＯＫ」と判定する（ステップＳ２３）。
【００８５】
こうして、広告情報決定部３２は、コンテンツ情報Ｖに含まれた連続する第１のシーンと第２のシーンとにそれぞれ対応する第１のシーン情報と第２のシーン情報とに基づいて、配信広告情報の表示タイミングを決定する。
【００８６】
そして、広告情報決定部３２は、図６に示したように、コンテンツ情報Ｖを識別するためのコンテンツ識別情報と、配信広告情報の表示タイミングと、配信広告情報の種別とを対応付けて決定広告関連情報を生成して、記憶部４に記憶させる。
【００８７】
図２へ戻り、シーン情報生成部３４は、例えば、最新作のコンテンツ情報Ｖなど、未だ既製のシーン情報がないコンテンツ情報Ｖについて、そのコンテンツ情報Ｖのシーンを生成してシーンＤＢ４３へ記憶させる処理部である。
【００８８】
かかるシーン情報生成部３４は、クラウドソーシングによってコンテンツ情報Ｖのシーン情報を生成する。具体的には、シーン情報生成部３４は、シーン情報を生成するコンテンツ情報Ｖを時間軸で分割した複数のビデオクリップと、各ビデオクリップのシーン状況に関する情報の提供要求を不特定多数のユーザ端末５へ配信し、その回答に基づいてシーン情報を生成する。
【００８９】
また、シーン情報生成部３４は、シーン情報の生成に記憶部４によって記憶されているシーン関連ワードテーブル４４を使用する。ここで、図９を参照して、シーン関連ワードテーブル４４の一例について説明し、図１０を参照して、シーン情報の生成手順の一例について説明する。図９は、実施形態に係るシーン関連ワードテーブル４４の一例を示す図であり、図１０は、実施形態に係るシーン情報の生成手順の一例を示す説明図である。
【００９０】
図９に示すように、シーン関連ワードテーブル４４は、複数のシーン情報候補と、各シーン情報候補に関連する複数の関連ワードとが対応付けられたＬＵＴである。図９に示す例では、「ドライブシーン」というシーン情報に対して、「車」、「カー」、「運転」などの関連ワードが対応付けられている。
【００９１】
また、「交通事故シーン」というシーン情報に対して、「車」、「急ブレーキ」、「けが」などの関連ワードが対応付けられている。また、「飲酒シーン」というシーン情報に対して、「バー」、「酒場」、「酒」などの関連ワードが対応付けられている。
【００９２】
そして、シーン情報生成部３４は、例えば、コンテンツ情報Ｖのシーン情報を生成する場合、コンテンツ情報Ｖに関する情報の提供者を募集する募集情報を不特定多数の一般のユーザ端末５に対して配信する。
【００９３】
そして、シーン情報生成部３４は、一般のユーザ端末５から募集に対する回答として応募情報を受信した場合、応募情報を送信してきたユーザ端末５に対して、情報の提供要求を配信する。
【００９４】
例えば、シーン情報生成部３４は、図１０に示すように、第１のユーザＵ１が所有する第１のユーザ端末５１へコンテンツ情報Ｖを時間軸で複数に分割したうちの第１のビデオクリップＶ１とともに、情報の提供要求を配信する。
【００９５】
第１のビデオクリップＶ１は、例えば、コンテンツ情報Ｖの再生開始から１５分が経過するまでの期間（００：００〜１５：００）に再生される動画である。つまり、第１のビデオクリップＶ１は、シークバー上を移動するスライダが００：００を示す位置から１５：００を示す位置まで移動する期間に再生される動画である。
【００９６】
そして、シーン情報生成部３４は、かかる第１のビデオクリップＶ１とともに、第１のユーザ端末５１へ第１のビデオクリップＶ１に含まれるシーン状況に関する情報の提供要求を配信する。例えば、シーン情報生成部３４は、第１のユーザ端末５１に対し、「このビデオクリップは、どのようなシーンですか？」というテキスト情報を提供要求として配信する。
【００９７】
その後、シーン情報生成部３４は、第１のユーザＵ１が配信要求の回答として、例えば、「車を運転中」というテキスト情報を第１のユーザ端末５１によって入力した場合、かかるテキスト情報を第１のビデオクリップＶ１に関する提供情報として取得する。
【００９８】
そして、シーン情報生成部３４は、第１のユーザ端末５１から取得した提供情報から、例えば、ＴＦやＩＤＦによってワード（例えば、名詞）を抽出する。ここで、シーン情報生成部３４は、例えば、提供情報から「車」、「運転」というワードを抽出した場合、シーン関連ワードテーブル４４に基づき、第１のビデオクリップＶ１のシーン情報を「ドライブシーン」と決定してシーンＤＢ４３へ記憶させる。
【００９９】
続いて、シーン情報生成部３４は、第２のユーザＵ２が所有する第２のユーザ端末５２へ第１のビデオクリップＶ１のシーンに連続する第２のビデオクリップＶ２を配信する。第２のビデオクリップＶ２は、シークバー上を移動するスライダが１５：１５を示す位置から３０：００を示す位置まで移動する期間に再生される動画である。なお、第１のビデオクリップＶ１の再生時間と、第２のビデオクリップＶ２の再生時間との間の１５秒間は、例えば、配信広告情報の表示時間帯である。
【０１００】
そして、シーン情報生成部３４は、かかる第２のビデオクリップＶ２とともに、第２のユーザ端末５２へ前述したものと同じ提供要求を配信する。具体的には、シーン情報生成部３４は、第２のユーザ端末５２に対し、「このビデオクリップは、どのようなシーンですか？」というテキスト情報を提供要求として配信する。
【０１０１】
そして、シーン情報生成部３４は、第２のユーザＵ２が配信要求の回答として、例えば、「交通事故」というテキスト情報を第２ユーザ端末５２によって入力した場合、かかるテキスト情報を第２のビデオクリップＶ２に関する提供情報として取得する。
【０１０２】
そして、シーン情報生成部３４は、第２のユーザ端末５２から取得した提供情報から、例えば、ＴＦやＩＤＦによってワード（例えば、名詞）を抽出する。ここで、シーン情報生成部３４は、例えば、提供情報から「事故」というワードを抽出した場合、シーン関連ワードテーブル４４に基づき、第２のビデオクリップＶ２のシーン情報を「交通事故シーン」と決定してシーンＤＢ４３へ記憶させる。
【０１０３】
その後、シーン情報生成部３４は、第２のビデオクリップＶ２に続く第３〜第ｎのビデオクリップＶ３〜Ｖｎについても、それぞれ、第３〜第ｎのユーザ端末５３〜５ｎへ各ビデオクリップＶ３〜Ｖｎとともに情報の提供要求を配信する。
【０１０４】
そして、第３〜第ｎのユーザ端末５３〜５ｎから取得する提供情報とシーン関連ワードテーブル４４とに基づいて、第３〜第ｎのユーザ端末５３〜５ｎのシーン情報を生成し、シーンＤＢ４３へ記憶させることによって、コンテンツ情報Ｖのシーン情報を生成する。
【０１０５】
図２へ戻り、情報出力部３５は、広告情報決定部３２によって生成された決定広告関連情報を広告関連情報４２から読み出して、決定広告関連情報を利用する他の装置へ出力する処理部である。
【０１０６】
かかる決定広告関連情報は、前述したように、コンテンツ情報Ｖを識別するためのコンテンツ識別情報と、配信広告情報の表示タイミングと、配信広告情報の種別とが対応付けられた情報である。
【０１０７】
そして、決定広告関連情報に含まれる表示タイミングと、配信広告情報の種別とは、コンテンツ情報Ｖに関し、広告情報決定部３２によって決定された広告効果の高い配信広告情報の表示タイミングおよび配信広告情報の種別である。
【０１０８】
このため、情報出力部３５は、例えば、コンテンツ情報Ｖをストリーミング配信またはダウンロード配信するコンテンツ配信装置や広告コンテンツを配信する広告配信装置へ決定広告関連情報を出力することによって、有益な情報を提供することができる。
【０１０９】
なお、配信広告決定装置１では、キャプション情報が予め記憶部４内のキャプションＤＢ３１に記憶されている場合またはキャプション情報が通信ネットワーク６に接続された所定のサーバ７から取得される場合について説明したが、キャプション情報はクラウドソーシングによって生成されてもよい。
【０１１０】
かかる場合、第１の取得部３１をシーン情報生成部３４と同様の構成とする。そして、第１の取得部３１は、シーン情報生成部３４と同様の手順によって、不特定多数のユーザ端末５からコンテンツ情報Ｖのキャプションに関する情報を取得し、取得した情報に基づいてキャプション情報を生成する。
【０１１１】
［３．配信広告決定装置の制御部が実行する処理］
次に、図１１および図１２を参照して、実施形態に係る配信広告決定装置１の制御部３が実行する処理について説明する。図１１は、実施形態に係る広告情報決定部３２が実行する処理を示すフローチャートであり、図１２は、実施形態に係るシーン情報生成部３４が実行する処理を示すフローチャートである。
【０１１２】
図１１に示すように、広告情報決定部３２は、第１の取得部３１からキャプション情報を取得し（ステップＳ１０１）、取得したキャプション情報に対応するシーン情報を第２の取得部３３から取得する（ステップＳ１０２）。
【０１１３】
続いて、広告情報決定部３２は、ステップＳ１０１で取得したキャプション情報と、ステップＳ１０２で取得したシーン情報とに基づいて配信広告情報を決定する（ステップＳ１０３）。その後、広告情報決定部３２は、ステップＳ１０３で決定した配信広告情報の表示タイミングを連続する２シーンのシーン情報に基づいて決定する（ステップＳ１０４）。
【０１１４】
続いて、広告情報決定部３２は、配信広告情報を表示させるコンテンツ情報Ｖのコンテンツ識別情報と、配信広告情報の表示タイミングと、種別とを対応付けて決定広告関連情報を生成し、決定広告関連情報を記憶部４へ記憶させる（ステップＳ１０５）。
【０１１５】
その後、広告情報決定部３２は、全シーン（全ビデオクリップＶ１〜Ｖｎ）の決定広告関連情報の生成が完了したか否かを判定する（ステップＳ１０６）。そして、広告情報決定部３２は、全シーンの決定広告関連情報の生成が完了していないと判定した場合（ステップＳ１０６，Ｎｏ）、処理をステップＳ１０１へ移す。また、広告情報決定部３２は、全シーンの決定広告関連情報の生成が完了したと判定した場合（ステップＳＳ１０６，Ｙｅｓ）、処理を終了する。
【０１１６】
また、図１２に示すように、シーン情報生成部３４は、まず、一般のユーザ端末５へコンテンツ情報Ｖに関する情報の提供者を募集する募集情報を配信する（ステップＳ２０１）。その後、シーン情報生成部３４は、ユーザ端末５から募集に対する回答として応募情報を取得する（ステップＳ２０２）。
【０１１７】
続いて、シーン情報生成部３４は、応募情報を送信してきたユーザ端末５に対して、コンテンツ情報Ｖを分割したビデオクリップとともに、ビデオクリップのシーン状況に関する情報の提供要求を配信する（ステップＳ２０３）。
【０１１８】
その後、シーン情報生成部３４は、提供要求を配信したユーザ端末５からビデオクリップのシーン状況に関する提供情報を取得し（ステップＳ２０４）、取得した提供情報に基づいて、各ビデオクリップのシーン情報を生成する（ステップＳ２０５）。
【０１１９】
続いて、シーン情報生成部３４は、全シーンのシーン情報の生成が完了したか否かを判定する（ステップＳ２０６）。そして、シーン情報生成部３４は、全シーンのシーン情報の生成が完了していないと判定した場合（ステップＳ２０６，Ｎｏ）、処理をステップＳ２０３へ移す。また、シーン情報生成部３４は、全シーンのシーン情報の生成が完了したと判定した場合（ステップＳ２０６，Ｙｅｓ）、処理を終了する。
【０１２０】
［４．その他の実施形態］
上述した実施形態では、シーン情報が「ドライブシーン」や「交通事故シーン」などといった具体的な情報である場合について説明したが、シーン情報は、抽象的な情報であってもよく、具体的な情報と抽象的な情報とを含む情報であってもよい。以下、かかるシーン情報の変形例１について図１３および図１４を参照し、シーン情報の変形例２について図１５を参照して説明する。
【０１２１】
［４．１．シーン情報の変形例１］
図１３は、変形例１に係るシーンＤＢに記憶される情報の一例を示す図であり、図１４は、変形例１に係るシーン情報を使用した配信広告情報の決定手順の一例を示す説明図である。
【０１２２】
図１３に示すように、変形例１に係るシーンＤＢには、コンテンツ情報Ｖを識別するためのコンテンツ識別情報と、コンテンツ情報Ｖに含まれる各ビデオクリップＶ１〜Ｖｎの再生時間帯と、各ビデオクリップＶ１〜Ｖｎの抽象的なシーン情報とが対応付けられて記憶されている。
【０１２３】
図１３に示す例では、コンテンツ識別情報が「０１」のコンテンツ情報Ｖについては、再生時間帯が００：００〜１５：００のビデオクリップに対して「ポジティブ」というシーン情報が対応付けられている。また、再生時間帯が１５：１５〜３０：００のビデオクリップに対しては、「ネガティブ」というシーン情報が対応付けられている。
【０１２４】
「ポジティブ」というシーン情報は、例えば、コンテンツ情報Ｖのシーンに登場する登場者の心情が高揚しているシーンや、雰囲気が盛り上がっているシーンや楽しげなシーンを含むビデオクリップに対応付けられる。また、「ポジティブ」というシーン情報は、コンテンツ情報Ｖの閲覧者の心情が高揚する可能性の高いシーンを含むビデオクリップに対応付けられてもよい。
【０１２５】
「ネガティブ」というシーン情報は、例えば、コンテンツ情報Ｖのシーンに登場する登場者の心情が低迷しているシーンや、雰囲気が盛り下がっているシーンや寂しげ、悲しげなシーンを含むビデオクリップに対応付けられる。また、「ネガティブ」というシーン情報は、コンテンツ情報Ｖの閲覧者の心情が低迷する可能性の高いシーンを含むビデオクリップに対応付けられてもよい。
【０１２６】
そして、配信広告決定装置１は、かかる変形例１に係るシーンＤＢに記憶されたシーン情報を使用して配信広告情報を決定することもできる。例えば、配信広告決定装置１は、図１４に示すように、ビデオクリップＶ１０のシーンが車の走行シーンＦ１０であった場合に、「次の角を右折・・」というキャプション情報を取得したとする。
【０１２７】
かかる場合、配信広告決定装置１は、キャプション情報からこのビデオクリップＶ１０のシーンが走行中の車のシーンであることは推定可能である。しかし、配信広告決定装置１は、このシーン状況がとても楽しげなポジティブな状況なのか、とても悲しげなネガティブな状況なのかまでは、推定不可能である。
【０１２８】
そこで、配信広告決定装置１は、キャプション情報に加えてビデオクリップＶ１のシーン情報を取得して、このシーン状況がとても楽しげなポジティブな状況なのか、とても悲しげなネガティブな状況なのかまで判定する。
【０１２９】
そして、配信広告決定装置１は、シーン情報が「ポジティブ」であれば、例えば、種別がＣＭ（７）の車のＣＭを配信広告情報として決定する。これにより、ビデオクリップＶ１０を閲覧したユーザの車に関する購買意欲を高めることができる。
【０１３０】
また、ビデオクリップＶ１０のシーン情報が「ネガティブ」であっても、ビデオクリップＶ１０に車が登場すれば、ビデオクリップＶ１０を閲覧したユーザは、車を購入しようとまでは思わなくとも、多少車に意識が向くことが予測可能である。
【０１３１】
そこで、配信広告決定装置１は、ビデオクリップＶ１０のシーン情報が「ネガティブ」であった場合、車を所有しているユーザであれば誰もが実施する可能性のあるサービスのＣＭ、例えば、種別がＣＭ（５）の車検のＣＭを配信広告情報として決定する。これにより、配信広告決定装置１は、車検のＣＭの広告効果を向上させることができる。
【０１３２】
また、シーン情報を「ポジティブ」や「ネガティブ」といった抽象的な情報とした場合、各ビデオクリップＶ１〜Ｖｎのシーン状況を大別することができる。これにより、配信広告決定装置１が判別するシーン情報の種類を低減することができるので、配信広告決定処理の処理負荷を軽減することが可能となる。
【０１３３】
なお、ここでは、シーン情報が「ポジティブ」または「ネガティブ」の２種類の場合について説明したが、シーン情報は、例えば、「ポジティブ」と「ネガティブ」との間に、「ミディアム」を設けるなど、３種類以上であてもよい。また、配信広告決定装置１は、シーン情報が「ポジティブ」であるビデオクリップに限り、対応する配信広告情報を決定する構成であってもよい。
【０１３４】
［４．２．シーン情報の変形例２］
図１５は、変形例２に係るシーンＤＢに記憶される情報の一例を示す図である。図１５に示すように、変形例２に係るシーンＤＢには、コンテンツ情報Ｖを識別するためのコンテンツ識別情報と、コンテンツ情報Ｖに含まれる各ビデオクリップＶ１〜Ｖｎの再生時間帯と、各ビデオクリップＶ１〜Ｖｎのシーン情報とが対応付けられて記憶されている。
【０１３５】
また、変形例２に係るシーン情報は、大項目、中項目、および小項目という複数の段階（階層）に分けられている。図１４に示す例では、コンテンツ識別情報が「０１」のコンテンツ情報Ｖについては、再生時間帯が００：００〜１５：００のビデオクリップＶ１に対して「可」、「ポジティブ」、「ドライブシーン」というシーン情報が対応付けられている。
【０１３６】
また、再生時間帯が１５：１５〜３０：００のビデオクリップＶ２に対しては、「否」というシーン情報が対応付けられている。ここでの、「可」は、ビデオクリップＶ１に対応する配信広告情報を表示させてもよいことを示しており、「否」は、ビデオクリップＶ２に対応する配信広告情報を表示させてはいけないことを示す。なお、「ポジティブ」、「ドライブシーン」などは、前述したシーン情報と同様のものである。
【０１３７】
配信広告決定装置１は、変形例２に係るシーンＤＢを使用して配信広告情報を決定することによって、配信広告決定処理の処理負荷をより大きく軽減することができるとともに、広告効果についてもさらに向上させることができる。
【０１３８】
具体的には、配信広告決定装置１は、取得したシーン情報の大項目が「否」であれば、そのシーン情報に対応するビデオクリップについては、配信広告決定処理を行う必要がないので、処理負荷を軽減することができる。
【０１３９】
また、配信広告決定装置１は、変形例２に係るシーンＤＢを使用して配信広告情報を生成することによって、例えば、広告情報を表示させるのに相応しくないシーンを含むビデオクリップに対応する配信広告情報を無理に決定することがない。これにより、配信広告決定装置１は、広告効果の低下を抑制することができる。
【０１４０】
また、配信広告決定装置１は、例えば、キャプション情報とシーン情報とに基づいて、一つのビデオクリップに対応する複数の配信広告情報の候補を決定することがある。かかる場合に、配信広告決定装置１は、変形例２に係るシーン情報を使用すれば、シーン情報の中項目および小項目に基づき、複数の配信広告情報の候補から、より広告効果の高い配信広告情報を決定することによって、広告効果をさらに向上させることができる。
【０１４１】
上述した実施形態では、配信広告決定装置１が決定した配信広告情報に関する決定広告関連情報をコンテンツ配信装置や広告配信装置などの情報配信装置へ出力する場合について説明したが、情報配信装置が配信広告決定装置１の機能を備えてもよい。
【０１４２】
［５．情報配信装置］
次に、図１６を参照して、配信広告決定装置１の機能を備える情報配信装置１ａについて説明する。図１６は、実施形態に係る情報配信装置１ａの構成例を示す図である。なお、ここでは、図１６に示す構成要素のうち、図２に示す構成要素と同一の構成要素については、図２に示す符号と同一の符号を付することにより、その説明を省略する。
【０１４３】
図１６に示すように、情報配信装置１ａの制御部３ａは、広告配信部３６、コンテンツ配信部３７、および配信要求受付部３８をさらに備える点を除き、図２に示す制御部３と同様の構成である。また、情報配信装置１ａの記憶部４ａは、広告ＤＢ４６、コンテンツＤＢ４７、および情報配信プログラム４８をさらに備える点を除き、図２に示す記憶部４と同様の構成である。
【０１４４】
記憶部４ａに記憶された広告ＤＢ４６は、複数の配信広告情報が記憶されたＤＢである。また、コンテンツＤＢ４７は、複数のコンテンツ情報Ｖが記憶されたＤＢである。また、情報配信プログラム４８は、制御部３ａがコンテンツ情報Ｖや配信広告情報を一般のユーザ端末５へ配信するために実行するアプリケーションプログラムである。
【０１４５】
制御部３ａの配信要求受付部３８は、通信ネットワーク６および通信部２を介して、ユーザ端末５からコンテンツ情報Ｖの配信要求を受け付ける処理部である。配信要求には、ユーザ端末５を識別するためのユーザＩＤと、コンテンツ識別情報とが含まれる。配信要求受付部３８は、配信要求を受け付けた場合に、配信要求をコンテンツ配信部３７へ出力する。
【０１４６】
コンテンツ配信部３７は、ユーザ端末５へコンテンツ情報Ｖを配信する処理部である。コンテンツ配信部３７は、配信要受付求部３８から配信要求が入力されると、配信要求に含まれるコンテンツ識別情報に対応したコンテンツ情報ＶをコンテンツＤＢ４７から取得する。
【０１４７】
そして、コンテンツ配信部３７は、取得したコンテンツを配信要求に含まれるユーザＩＤに対応したＩＰアドレスが割り当てられたユーザ端末５へ配信する。また、コンテンツ配信部３７は、配信中のコンテンツ情報Ｖの再生時間と配信先のＩＰアドレスとを広告配信部３６へ出力する。
【０１４８】
広告配信部３６は、コンテンツ情報Ｖを閲覧中のユーザ端末５へ配信広告情報を配信する処理部である。広告配信部３６は、コンテンツ配信部３７から入力される再生時間に対応付けられている配信広告情報を広告関連情報４２中の決定広告関連情報に基づいて判別する。
【０１４９】
そして、広告配信部３６は、判別した配信広告情報を広告ＤＢ４６から取得し、コンテンツ配信部３７から入力されたＩＰアドレスが割り当てられたユーザ端末５へ、決定広告関連情報に定められた表示タイミングで配信する。
【０１５０】
なお、情報配信装置１ａをコンテンツ配信装置とする場合、広告配信部３６および広告ＤＢ４６は、不要となる。かかる場合、コンテンツ配信装置は、配信中のコンテンツ情報Ｖに関する決定広告関連情報に定められた配信広告情報の種別、配信広告情報の表示タイミング、およびコンテンツ情報Ｖを配信中のユーザ端末５のＩＰアドレスを広告配信装置へ送信する。
【０１５１】
これにより、広告配信装置は、決定広告関連情報に定められた配信広告情報を、決定広告関連情報に定められたタイミングで、コンテンツ情報Ｖを閲覧中のユーザ端末５に表示させることができる。
【０１５２】
また、情報配信装置１ａを広告配信装置とする場合、コンテンツ配信部３７およびコンテンツＤＢ４７は、不要となる。かかる場合、広告配信装置は、コンテンツ配信装置からコンテンツ情報Ｖを配信中のユーザ端末５のＩＰアドレスと、コンテンツ情報Ｖの再生時間とを取得する。
【０１５３】
これにより、広告配信装置は、配信中のコンテンツ情報Ｖの再生時間と決定広告関連情報とに基づき、決定広告関連情報に定められた配信広告情報を決定広告関連情報に定められたタイミングでコンテンツ情報Ｖを閲覧中のユーザ端末５に表示させることができる。
【０１５４】
［６．ハードウェア構成］
なお、実施形態における配信広告決定装置１および情報配信装置１ａは、例えば図１７に示すような構成のコンピュータ９０によって実現される。図１７は、配信広告決定装置１および情報配信装置１ａの機能を実現するコンピュータの一例を示すハードウェア構成図である。コンピュータ９０は、ＣＰＵ（Central  Processing  Unit）９１、ＲＡＭ（Random  Access  Memory）９２、ＲＯＭ（Read  Only  Memory）９３、ＨＤＤ（Hard  Disk  Drive）９４、通信インターフェイス（Ｉ／Ｆ）９５、入出力インターフェイス（Ｉ／Ｆ）９６、およびメディアインターフェイス（Ｉ／Ｆ）９７を備える。
【０１５５】
ＣＰＵ９１は、ＲＯＭ９３またはＨＤＤ９４に格納されたプログラムに基づいて動作し、各部の制御を行う。ＲＯＭ９３は、コンピュータ９０の起動時にＣＰＵ９１によって実行されるブートプログラムや、コンピュータ９０のハードウェアに依存するプログラム等を格納する。
【０１５６】
ＨＤＤ９４は、ＣＰＵ９１によって実行されるプログラムおよび当該プログラムによって使用されるデータ等を格納する。通信インターフェイス９５は、通信部２に対応し、通信ネットワーク６を介して他の機器からデータを受信してＣＰＵ９１へ送り、ＣＰＵ９１が生成したデータを、通信ネットワーク６を介して他の機器へ送信する。
【０１５７】
ＣＰＵ９１は、入出力インターフェイス９６を介して、ディスプレイやプリンタ等の出力装置、および、キーボードやマウス等の入力装置を制御する。ＣＰＵ９１は、入出力インターフェイス９６を介して、入力装置からデータを取得する。また、ＣＰＵ９１は、生成したデータを、入出力インターフェイス９６を介して出力装置へ出力する。
【０１５８】
メディアインターフェイス９７は、記録媒体９８に格納されたプログラムまたはデータを読み取り、ＲＡＭ９２を介してＣＰＵ９１に提供する。ＣＰＵ９１は、当該プログラムを、メディアインターフェイス９７を介して記録媒体９８からＲＡＭ９２上にロードし、ロードしたプログラムを実行する。記録媒体９８は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５９】
コンピュータ９０が配信広告決定装置１および情報配信装置１ａとして機能する場合、コンピュータ９０のＣＰＵ９１は、ＲＡＭ９２上にロードされたプログラムを実行することにより、第１の取得部３１、広告情報決定部３２、第２の取得部３３、シーン情報生成部３４、情報取得部３５、広告配信部３６、コンテンツ配信部３７、および配信要求受付部３８の各機能を実現する。また、ＨＤＤ９４は、記憶部３，３ａの機能を実現し、キャプションＤＢ４１、広告関連情報４２、シーンＤＢ４３、シーン関連ワードテーブル４４、配信広告決定プログラム４５、広告ＤＢ４６、コンテンツＤＢ４７、および情報配信プログラム４８などが格納される。
【０１６０】
コンピュータ９０のＣＰＵ９１は、これらのプログラムを、記録媒体９８から読み取って実行するが、他の例として、他の装置から、通信ネットワーク６を介してこれらのプログラムを取得してもよい。
【０１６１】
［７．効果］
実施形態に係る配信広告決定装置１は、コンテンツ情報Ｖに含まれる動画のシーンに対応付けられたキャプション情報を取得する第１の取得部３１と、コンテンツ情報Ｖに含まれる複数のシーンの状況をそれぞれ示すシーン情報を取得する第２の取得部３３とを備える。
【０１６２】
さらに、配信広告決定装置１は、第１の取得部３１で取得されたキャプション情報と、第２の取得部３３で取得されたシーン情報とに基づいて、コンテンツ情報に対応する配信広告情報を決定する広告情報決定部３２とを備える。これにより、配信広告決定装置１は、動画の内容とよりマッチした配信広告情報を決定することができる。
【０１６３】
また、配信広告決定装置１の広告情報決定部３２は、第１の取得部３１で取得されたキャプション情報と、第２の取得部３３で取得されたシーン情報とに基づいて、コンテンツ情報Ｖに含まれる複数のシーンにそれぞれ対応する複数の配信広告情報を決定する。これにより、配信広告決定装置１は、決定した複数の配信広告情報から好適な配信広告情報を選択することができるので、配信広告情報の広告効果を向上させることができる。
【０１６４】
また、配信広告決定装置１の広告情報決定部３２は、決定した配信広告情報の表示タイミングをコンテンツ情報に含まれた連続する第１のシーンと第２のシーンとにそれぞれ対応する第１のシーン情報と第２のシーン情報とに基づいて決定する。これにより、配信広告決定装置１は、決定した配信広告情報を広告効果が向上する表示タイミングでユーザ端末５へ表示させることができる。
【０１６５】
また、配信広告決定装置１の第２の取得部３３が取得するシーン情報は、配信広告情報の配信の可否を示す配信可否情報を含む。これにより、配信広告決定装置１は、「否」のシーン情報が取得された動画については、配信広告情報を決定する必要がないので、配信広告決定処理の負荷を軽減することができる。
【０１６６】
また、配信広告決定装置１の第２の取得部３３が取得するシーン情報は、コンテンツ情報に含まれる複数のシーンのそれぞれの状況が、ポジティブな状況かネガティブな状況かを示す情報を含む。これにより、配信広告決定装置１は、各シーン状況が２種類に大別されるので判別するシーン情報の種類が低減され、配信広告決定処理の処理負荷を軽減することが可能となる。
【０１６７】
配信広告決定装置１は、１以上のユーザ端末５から動画のシーンに関する提供情報を取得して、シーン情報を生成するシーン情報生成部３４を備える。これにより、配信広告決定装置１は、多額のコストをかけることなく、多くのシーン情報を生成することができる。
【０１６８】
配信広告決定装置１の広告情報決定部３２は、キャプション情報およびシーン情報のうち一方の情報に基づいて、配信広告情報を絞り込む第１の絞り込み処理と、第１の絞り込み処理によって絞り込まれた配信広告情報を、キャプション情報およびシーン情報のうち他方の情報に基づいて絞り込む第２の絞り込み処理とを行う。これにより、配信広告決定装置１は、配信広告情報の決定精度をさらに向上させることができる。
【０１６９】
［８．その他］
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１７０】
上述した配信広告決定装置１や情報配信装置１ａは、複数のサーバコンピュータで実現してもよく、また、機能によっては外部のプラットフォーム等をＡＰＩ（Application  Programming  Interface）やネットワークコンピューティングなどで呼び出して実現するなど、構成は柔軟に変更できる。
【符号の説明】
【０１７１】
１  配信広告決定装置
２  通信部
３，３ａ  制御部
３１  第１の取得部
３２  広告情報決定部
３３  第２の取得部
３４  シーン情報生成部
３５  情報出力部
３６  広告配信部
３７  コンテンツ配信部
３８  配信要求受付部
４，４ａ  記憶部
４１  キャプションＤＢ
４２  広告関連情報
４３  シーンＤＢ
４４  シーン関連ワードテーブル
４５  配信広告決定プログラム
４６  広告ＤＢ
４７  コンテンツＤＢ
４８  情報配信プログラム
Ｖ  コンテンツ情報
Ｖ１〜Ｖｎ  ビデオクリップ
１ａ  情報配信装置
【図１】
2015185951.tif 000003
【図２】
2015185951.tif 000004
【図３】
2015185951.tif 000005
【図４】
2015185951.tif 000006
【図５】
2015185951.tif 000007
【図６】
2015185951.tif 000008
【図７】
2015185951.tif 000009
【図８】
2015185951.tif 000010
【図９】
2015185951.tif 000011
【図１０】
2015185951.tif 000012
【図１１】
2015185951.tif 000013
【図１２】
2015185951.tif 000014
【図１３】
2015185951.tif 000015
【図１４】
2015185951.tif 000016
【図１５】
2015185951.tif 000017
【図１６】
2015185951.tif 000018
【図１７】
2015185951.tif 000019